(57)【要約】【課題】ハウジングに３本以上のケーブルを挿入するようにした場合でも、ケーブルの抜けを防止するためのロック部材によってハウジングが大型化することのないコネクタを提供する。【解決手段】ロック部材２０をハウジング１０に装着することにより、ロック部材２０の当接部２３によって各ケーブル１の係止部２ｄとハウジング１０の各係止部１２との係止解除が規制される。この場合、ハウジング１０の各ケーブル挿入部１１を互いに中心を結ぶ線が四角形状をなすように配置するとともに、各係止部１２をケーブル挿入部１１の中心を結ぶ四角形の中心側に位置するように設け、ロック部材２０の当接部２３が前記四角形の中心に位置するようにしたので、全ての係止部１２の係止解除を一つの当接部２３との当接によって規制することができ、ロック部材２０の形状を簡素化することができる。【選択図】図５
2012221797.tif 000002
【特許請求の範囲】
【請求項１】
３本以上のケーブルが互いに軸心を平行にしてそれぞれ挿入される複数のケーブル挿入部を有するハウジングと、ハウジングに各ケーブル挿入部ごとにケーブルの径方向に弾性変形可能に設けられ、ケーブル挿入部に挿入されたケーブルにケーブルの軸方向に係止することによりケーブルの反挿入方向への移動を規制する複数の係止部とを備えたコネクタにおいて、
前記ハウジングに装着され、前記各係止部がケーブルの径方向に当接することにより各係止部の係止解除を規制するロック部材を備え、
各ケーブル挿入部をその中心を結ぶ線が多角形状をなすように配置するとともに、
各係止部をケーブル挿入部の中心を結ぶ多角形の中心側に位置するように設け、
ロック部材には、各係止部が当接する当接部を前記多角形の中心に位置するように設けた
ことを特徴とするコネクタ。
【請求項２】
前記ハウジングの外面にロック部材が係合する凹部を設け、
ロック部材の外面とハウジングの外面とをロック部材が凹部に係合した状態で互いに面一をなすように形成した
ことを特徴とする請求項１記載のコネクタ。
【発明の詳細な説明】
【技術分野】
【０００１】
本発明は、例えば車載用アンテナに用いられる同軸ケーブルを３本以上接続するためのコネクタに関するものである。
【背景技術】
【０００２】
従来、この種のコネクタとしては、複数のケーブルが互いに軸心を平行にしてそれぞれ挿入される複数のケーブル挿入部を有するハウジングと、ハウジングに各ケーブル挿入部ごとにケーブルの径方向に弾性変形可能に設けられ、ケーブル挿入部に挿入されたケーブルにケーブルの軸方向に係止することによりケーブルの反挿入方向への移動を規制する複数の係止部とを備え、各ケーブルを保持したハウジングを相手側コネクタのハウジングに嵌合することにより、各ケーブルを相手側コネクタに接続するようにしたものが知られている（例えば、特許文献１参照）。
【先行技術文献】
【特許文献】
【０００３】
【特許文献１】特開２００５−１０８５１０号公報
【発明の概要】
【発明が解決しようとする課題】
【０００４】
ところで、従来のコネクタでは、ケーブル挿入部にケーブルを挿入すると、ハウジングの係止部がケーブルの係止部の当接によってケーブルの径方向外側に向かって弾性変形するとともに、ケーブルの係止部がハウジングの係止部を乗り越えると、ハウジングの係止部がケーブルの径方向内側に復元してケーブルの係止部と係止するようになっている。しかしながら、この状態ではハウジングの係止部が係止解除方向への変位を規制されていないため、ケーブルに反挿入方向への過大な引張力が加わると、ハウジングの係止部による係止が解除されてケーブルがハウジングから抜けてしまうという問題がある。
【０００５】
そこで、ハウジングの係止部にケーブルの径方向に当接するロック部材をハウジングに装着することにより、ロック部材によって各係止部の係止解除を規制するようにすれば、ケーブルに過大な引張力が加わった場合でも、ケーブルがハウジングから容易に抜けないようにすることができる。
【０００６】
しかしながら、複数の係止部にそれぞれ当接する複数のロック部材を各ケーブル挿入部ごとに設けると、ハウジングにおける各ロック部材の装着スペースが大きくなり、特に３本以上のケーブルを挿入する場合はハウジングの大型化を来すという問題点があった。
【０００７】
本発明は前記問題点に鑑みてなされたものであり、その目的とするところは、ハウジングに３本以上のケーブルを挿入するようにした場合でも、ケーブルの抜けを防止するためのロック部材によってハウジングが大型化することのないコネクタを提供することにある。
【課題を解決するための手段】
【０００８】
本発明は前記目的を達成するために、３本以上のケーブルが互いに軸心を平行にしてそれぞれ挿入される複数のケーブル挿入部を有するハウジングと、ハウジングに各ケーブル挿入部ごとにケーブルの径方向に弾性変形可能に設けられ、ケーブル挿入部に挿入されたケーブルにケーブルの軸方向に係止することによりケーブルの反挿入方向への移動を規制する複数の係止部とを備えたコネクタにおいて、前記ハウジングに装着され、前記各係止部がケーブルの径方向に当接することにより各係止部の係止解除を規制するロック部材を備え、各ケーブル挿入部をその中心を結ぶ線が多角形状をなすように配置するとともに、各係止部をケーブル挿入部の中心を結ぶ多角形の中心側に位置するように設け、ロック部材には、各係止部が当接する当接部を前記多角形の中心に位置するように設けている。
【０００９】
これにより、ロック部材をハウジングに装着することにより、ロック部材の当接部によって各ケーブルとハウジングの各係止部との係止解除が規制されることから、ケーブルに反挿入方向への過大な引張力が加わった場合でも、ケーブルとハウジングとの係止が解除されることがない。この場合、ハウジングの各ケーブル挿入部が互いに中心を結ぶ線が四角形状をなすように配置されるとともに、各係止部がケーブル挿入部の中心を結ぶ四角形の中心側に位置するように設けられ、ロック部材の当接部が前記四角形の中心に位置することから、全ての係止部の係止解除を一つの当接部との当接によって規制することができ、ロック部材の形状を簡素化することができるとともに、各ケーブル挿入部を互いに接近させて配置することができる。これにより、ハウジングに３本以上のケーブルを挿入するようにした場合でも、ハウジングを大型化させることがない。
【発明の効果】
【００１０】
本発明によれば、ケーブルとハウジングとの係止解除をロック部材によって規制することができるので、ケーブルに反挿入方向への過大な引張力が加わった場合でも、ケーブルの抜けを確実に防止することができる。この場合、ロック部材の形状を簡素化することができるとともに、各ケーブル挿入部を互いに接近させて配置することができるので、ハウジングにおけるロック部材の装着スペースを小さくすることができる。これにより、ハウジングに３本以上のケーブルを挿入するようにした場合でも、ハウジングを大型化させることがなく、コネクタの配置スペースの小さい機器へのケーブルの接続に極めて有利である。
【図面の簡単な説明】
【００１１】
【図１】本発明の一実施形態を示すコネクタの斜視図
【図２】コネクタの正面図
【図３】コネクタの背面図
【図４】Ａ−Ａ線矢視方向断面図
【図５】コネクタの分解斜視図
【図６】ケーブルの接続工程を示すＡ−Ａ線矢視方向断面図
【図７】ロック部材の装着工程を示すＡ−Ａ線矢視方向断面図
【図８】コネクタのＢ−Ｂ線矢視方向正面図
【図９】ハウジングの正面図
【図１０】ケーブルの側面図
【図１１】ケーブルの平面図
【図１２】相手側コネクタの斜視図
【図１３】相手側コネクタの正面図
【図１４】相手側コネクタとの接続工程を示す側面図
【発明を実施するための形態】
【００１２】
図１乃至図１４は本発明の一実施形態を示すもので、例えば車載用アンテナに用いられる複数のケーブルを接続するためのコネクタに関するものである。
【００１３】
このコネクタは、４本のケーブル１を保持するハウジング１０と、ハウジング１０に装着されるロック部材２０とを備え、相手側コネクタ３０に接続されるようになっている。
【００１４】
ケーブル１は、内部導体１ａの外周に絶縁体１ｂを介して外部導体１ｃを配置した周知の同軸ケーブルからなり、その先端部には外部導体１ｃに導通する円筒状の外側端子２が取り付けられている。外側端子２は導電性の金属板を円筒状に曲げ加工することによって形成され、その基端側には、外部導体１ｃにカシメによって固定される第１の固定部２ａと、ケーブル１の絶縁被覆１ｄにカシメによって固定される第２の固定部２ｂが設けられている。外側端子２の先端側には互いに外側端子２の周方向に分割された４つの弾性片部２ｃが設けられ、各弾性片部２ｃは外側端子２の径方向に弾性変形可能に形成されている。各弾性片部２ｃのうちの一つの弾性片部２ｃにはハウジング１０に係止する係止部２ｄが設けられ、係止部２ｄは外側端子２の外周面よりも外側に突出している。係止部２ｄは弾性片部２ｃの一部を切り起こすことによって形成され、その一端側（外側端子２の先端側）が外側端子２の軸方向に対して傾斜をなし、他端側（外側端子２の基端側）がハウジング１０に外側端子２の軸方向から係止可能に形成されている。また、外側端子２の内側には絶縁性の円筒部３が外側端子２の内周面と径方向に間隔をおいて設けられ、円筒部３内にはケーブル１の内部導体１ａに導通する内側端子４が設けられている。
【００１５】
ハウジング１０は合成樹脂の成形品からなり、相手側コネクタ３０内に挿入可能な立方体状に形成されている。ハウジング１０には、各ケーブル１が互いに軸心を平行にしてそれぞれ挿入される複数のケーブル挿入部１１が設けられ、各ケーブル挿入部１１はハウジング１０を前後方向に貫通するように形成されている。ケーブル挿入部１１はケーブル１の外側端子２を挿入可能な円形の孔からなり、その両端はハウジング１０の前端面及び後端面にそれぞれ開口している。この場合、各ケーブル挿入部１１は中心を結ぶ線が四角形（正方形）をなすようにハウジング１０の上下方向及び幅方向に等間隔で配置されている。
【００１６】
また、ハウジング１０には、各ケーブル１の係止部２ｄにそれぞれ係止する４つの係止部１２が設けられている。各係止部１２は、各ケーブル挿入部１１の周方向一部をなすように形成され、図９に示すようにそれぞれ各ケーブル挿入部１１の中心を結ぶ四角形Ｑの中心側に位置するように四角形Ｑの対角線Ｌ上に配置されている。各係止部１２は、ハウジング１０の後端側から前方に向かって延出するとともに、それぞれケーブル挿入部１１の径方向に弾性変形可能に形成されている。各係止部１２の先端側にはケーブル挿入部１１の内側に向かって突出する突部１２ａが設けられ、突部１２ａにケーブル１の係止部２ｄが係止するようになっている。この場合、突部１２ａの一端側（係止部１２の先端側）はケーブル１の係止部２ｄがケーブル１の軸方向に係止可能に形成され、突部１２ａの他端側（係止部１２の基端側）はケーブル挿入部１１の軸方向に対して傾斜をなすように形成されている。
【００１７】
ハウジング１０の前面及び両側面には、ロック部材２０が係合ずる第１及び第２の凹部１３，１４が設けられている。前面の第１の凹部１３は上側のケーブル挿入部１１と下側のケーブル挿入部１１との間をハウジング１０の幅方向に延びるように形成され、ハウジング１０の両側面の各第２の凹部１４はそれぞれハウジング１０の前後方向に延びるように形成されている。この場合、第１の凹部１３の両端は各第２の凹部１４の前端に連続するように形成されている。また、各第２の凹部１４には、ロック部材２０が係止する突部１４ａが設けられている。ハウジング１０の上面には相手側コネクタ３０に係止するロック部１５が設けられ、ロック部１５は後端側が上下方向に変位するように弾性変形可能に形成されている。ロック部１５の上面には相手側コネクタ３０が係止する係止孔１５ａが設けられ、その後端側の上面にはロック部１５を下方に押圧可能な操作部１５ｂが設けられている。
【００１８】
ロック部材２０は合成樹脂の成形品からなり、ハウジング１０に前方から装着可能に形成されている。ロック部材２０は、ハウジング１０の前面に係合する第１の係合部２１と、ハウジング１０の両側面に係合する一対の第２の係合部２２と、ハウジング１０の各係止部１２との当接により各係止部１２の係止解除を規制する当接部２３とからなる。
【００１９】
第１の係合部２１はハウジング１０の幅方向に延びる板状に形成され、ハウジング１０の第１の凹部１３に係合するようになっている。この場合、第１の係合部２１は、第１の凹部１３に係合すると、外面がハウジング１０の前面と面一をなすように第１の凹部１３の深さに等しい厚さに形成されている。また、第１の係合部２１の中央部２１ａは八角形状に形成されており、中央部２１ａはハウジング１０の各係止部１２の前方を覆うようになっている。
【００２０】
各第２の係合部２２はハウジング１０の前後方向に延びる板状に形成され、それぞれハウジング１０の第２の凹部１４に係合するようになっている。この場合、各第２の係合部２２は、第２の凹部１４に係合すると、外面がハウジング１０の側面と面一をなすように第２の凹部１４の深さに等しい厚さに形成されている。また、各第２の係合部２２の内側の面には、各第２の凹部１４の突部１４ａが係止する溝２２ａが設けられている。
【００２１】
当接部２３は断面八角形の角柱状に形成され、第１の係合部２１の中央部２１ａからハウジング１０側に延出するように設けられている。この場合、当接部２３は、ロック部材２０をハウジング１０に装着すると、図９に示すように各ケーブル挿入部１１の中心を結ぶ四角形Ｑの中心側に位置するように各係止部１２の間に挿入され、ケーブル１の径方向外側への各係止部１２の変位を各係止部１２との当接によって規制するようになっている。
【００２２】
前記構成からなるコネクタを組み立てる場合は、まず、図６に示すようにハウジング１０の各ケーブル挿入部１１に各ケーブル１をそれぞれ挿入する。その際、ケーブル１の外側端子２をケーブル挿入部１１内に挿入すると、外側端子２の係止部２ｄがハウジング１０の係止部１２の突部１２ａに当接するとともに、ハウジング１０の係止部１２がケーブル１の径方向外側に向かって弾性変形する。続いて、外側端子２の係止部２ｄが突部１２ａを乗り越えると、図７に示すようにハウジング１０の係止部１２がケーブル１の径方向内側に向かって復元し、外側端子２の係止部２ｄと突部１２ａとの係止によってケーブル１の反挿入方向への移動が規制される。
【００２３】
次に、図７に示すようにロック部材２０をハウジング１０に装着すると、ロック部材２０の当接部２３が各係止部１２の間に挿入され、ケーブル１の径方向外側への各係止部１２の変位が当接部２３との当接によって規制される。また、ロック部材２０の第１及び第２の係合部２１，２２がハウジング１０の第１及び第２の凹部１３，１４に係合するとともに、各第２の凹部１４の突部１４ａが各第２の係合部２２の溝２２ａに係止し、ロック部材２０がハウジング１０に保持される。その際、ロック部材２０の第１及び第２の係合部２１，２２がハウジング１０の外面と面一をなすように係合するとともに、第１の係合部２１の中央部２１ａによってハウジング１０の各係止部１２の前方が覆われる。
【００２４】
以上のように構成されたコネクタは、図１４に示すように相手側コネクタ３０に接続される。この場合、相手側コネクタ３０は、例えば車載用アンテナのアンテナユニット内に配置されている。相手側コネクタ３０は、前記ハウジング１０が嵌合する雌型のハウジング３１と、ハウジング３１内に設けられた４つの端子３２とを備え、各端子３２は前記ハウジング１０に保持されたケーブル１の外側端子２及び内側端子４に接触する外側端子３２ａ及び内側端子３２ｂを有している。また、ハウジング３１内には前記ハウジング１０のロック部１５に係止する突部３１ａが設けられ、前記ハウジング１０を相手側コネクタ３０のハウジング３１内に挿入すると、突部３１ａがロック部１５の係止孔１５ａに係止するようになっている。また、ロック部１５の操作部１５ｂを押圧することにより、相手側コネクタ３０とのロックが解除される。
【００２５】
このように、本実施形態によれば、ロック部材２０をハウジング１０に装着することにより、ロック部材２０の当接部２３によって各ケーブル１の係止部２ｄとハウジング１０の各係止部１２との係止解除を規制するようにしたので、ケーブル１に反挿入方向への過大な引張力が加わった場合でも、ケーブル１とハウジング１０との係止が解除されることがなく、ケーブル１の抜けを確実に防止することができる。
【００２６】
この場合、ハウジング１０の各ケーブル挿入部１１を互いに中心を結ぶ線が四角形状をなすように配置するとともに、各係止部１２をケーブル挿入部１１の中心を結ぶ四角形の中心側に位置するように設け、ロック部材２０の当接部２３が前記四角形の中心に位置するようにしたので、全ての係止部１２の係止解除を一つの当接部２３との当接によって規制することができ、ロック部材２０の形状を簡素化することができる。これにより、ハウジング１０内におけるロック部材２０の装着スペースを小さくすることができるとともに、各ケーブル挿入部１１を互いに接近させて配置することができるので、ハウジング１０に４本のケーブル１を挿入するように構成した場合でも、ハウジング１０を大型化させることがなく、コネクタの配置スペースの小さい機器へのケーブルの接続に極めて有利である。
【００２７】
また、ロック部材２０の外面側をハウジング１０の第１及び第２の凹部１３，１４に係合する第１及び第２の係合部２１，２２によって形成し、第１及び第２の係合部２１，２２をハウジング１０の外面と面一をなすように形成したので、ハウジング１０の外面とロック部材２０の外面との間に段差が生ずることがなく、ロック部材２０が外部の物品と接触してもハウジング１０から容易に外れることがないという利点がある。この場合、第１の係合部２１の中央部２１ａによってハウジング１０の各係止部１２の前方が覆われるので、各係止部１２が外部に露出することがなく、外部の物品との接触から各係止部１２を保護することができる。
【００２８】
尚、前記実施形態では、ハウジング１０に４本のケーブル１を保持するようにしたものを示したが、３本以上であれば４本以外の本数のケーブル１を保持するものであってもよい。
【００２９】
また、前記実施形態では、各ケーブル１を保持したハウジング１０を相手側コネクタ３０のハウジング３１に嵌合することにより、各ケーブル１を相手側コネクタ３０に接続するようにしたものを示したが、相手側ケーブルをハウジング１０のケーブル１に直接接続するようにしてもよい。
【符号の説明】
【００３０】
１…ケーブル、２ｄ…係止部、１０…ハウジング、１１…ケーブル挿入部、１２…係止部、１３…第１の凹部、１４…第２の凹部、２０…ロック部材、２１…第１の係合部、２２…第２の係合部、２３…当接部。
【図１】
2012221797.tif 000003
【図２】
2012221797.tif 000004
【図３】
2012221797.tif 000005
【図４】
2012221797.tif 000006
【図５】
2012221797.tif 000007
【図６】
2012221797.tif 000008
【図７】
2012221797.tif 000009
【図８】
2012221797.tif 000010
【図９】
2012221797.tif 000011
【図１０】
2012221797.tif 000012
【図１１】
2012221797.tif 000013
【図１２】
2012221797.tif 000014
【図１３】
2012221797.tif 000015
【図１４】
2012221797.tif 000016